【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
基板と、
前記基板に設けられ、導体が前記基板の厚さ方向と平行する方向に延在する中心軸を中心にかつ前記中心軸と直交する平面上を延在してコイル状に巻回されることで形成されたアンテナと、
前記基板に取着され前記アンテナを介してリーダ／ライタ装置との間で無線通信を行うＲＦＩＤチップと、
前記基板と前記アンテナと前記ＲＦＩＤチップを封止するパッケージとを備えるＲＦＩＤタグであって、
前記パッケージが外方に臨む外面には、前記中心軸を特定するためのマークが形成されている、
ことを特徴とするＲＦＩＤタグ。
【請求項２】
基板と、
前記基板に設けられ、導体が前記基板の厚さ方向と平行する方向に延在する中心軸を中心にかつ前記中心軸と直交する平面上を延在してコイル状に巻回されることで形成されたアンテナと、
前記基板に取着され前記アンテナを介してリーダ／ライタ装置との間で無線通信を行うＲＦＩＤチップと、
前記基板と前記アンテナと前記ＲＦＩＤチップを封止するパッケージとを備えるＲＦＩＤタグであって、
前記パッケージは、前記基板の厚さ方向に沿った高さを有し、
前記パッケージは、前記高さ方向の両端に位置する第１面と第２面とを有し、
前記アンテナは、前記第１面と第２面の何れか一方の面に偏位しており、
前記アンテナが偏位した前記第１面と第２面の何れか一方の面はアンテナ面とされ、
前記パッケージが外方に臨む外面には、前記アンテナ面を特定するためのマークが形成されている、
ことを特徴とするＲＦＩＤタグ。
【請求項３】
前記マークは、前記アンテナ面に形成されていることを特徴とする請求項２記載のＲＦＩＤタグ。
【請求項４】
導体が前記基板の厚さ方向と平行する方向に延在する中心軸を中心にかつ前記中心軸と直交する平面上を延在してコイル状に巻回されることでアンテナ片が構成され、
前記アンテナは、複数の前記アンテナ片が前記基板の厚さ方向に絶縁層を介在させて積層されることで構成されている、
ことを特徴とする請求項１または２記載のＲＦＩＤタグ。
【請求項５】
前記パッケージは、前記基板の厚さ方向に沿った高さを有し、
前記パッケージは、前記高さ方向の両端に位置する第１面と第２面とを有し、
前記アンテナは、前記第１面と第２面の何れか一方の面に偏位しており、
前記アンテナが偏位した前記第１面と第２面の何れか一方の面はアンテナ面とされ、
前記マークは前記アンテナ面に形成されている、
ことを特徴とする請求項１記載のＲＦＩＤタグ。
【請求項６】
前記ＲＦＩＤチップは前記第１面と第２面のうちの他方の面に臨む前記基板の面に実装されている、
ことを特徴とする請求項５記載のＲＦＩＤタグ。
【請求項７】
前記パッケージは、前記基板の厚さ方向に沿った高さを有し、
前記パッケージは、前記高さ方向の両端に位置する第１面と第２面とを有し、
前記マークは前記第１面または前記第２面の一方に設けられている、
ことを特徴とする請求項１または２記載のＲＦＩＤタグ。
【請求項８】
導体が前記基板の厚さ方向と平行する方向に延在する中心軸を中心にかつ前記中心軸と直交する平面上で前記中心軸の近傍の箇所の周囲にコイル状に巻回されることでアンテナ片が構成され、
前記アンテナは、複数の前記アンテナ片が前記基板の厚さ方向に絶縁層を介在させて積層されることで構成され、
前記パッケージは、前記基板の厚さ方向に沿った高さを有し、
前記パッケージは、前記高さ方向の両端に位置する第１面と第２面とを有し、
前記アンテナは、前記第１面と第２面の何れか一方の面に偏位しており、
前記アンテナが偏位した前記第１面と第２面の何れか一方の面はアンテナ面とされ、
前記マークは、前記アンテナ片が位置していない前記中心軸の近傍の箇所に前記中心軸に沿って延在する凹部により構成され、
前記凹部は、前記アンテナ面に開口し前記中心軸に沿って前記第１面と第２面の何れか他方の面に向かう深さを有している、
ことを特徴とする請求項１または２記載のＲＦＩＤタグ。
【請求項９】
前記凹部の底面は前記基板の内部の箇所に位置しており、前記凹部の側面と底面は前記パッケージにより形成されていることを特徴とする請求項８記載のＲＦＩＤタグ。
【請求項１０】
前記凹部の深さ方向と直交する面内の前記凹部の断面形状は、矩形を呈していることを特徴とする請求項８記載のＲＦＩＤタグ。
【請求項１１】
前記凹部の深さ方向と直交する面内の前記凹部の断面形状は、凹部の底面に近づくにつれて次第に小さくなるように形成されていることを特徴とする請求項８記載のＲＦＩＤタグ。
【請求項１２】
前記凹部の深さ方向と直交する面内の前記凹部の断面の中心は、前記中心軸と合致していることを特徴とする請求項８記載のＲＦＩＤタグ。
【請求項１３】
前記マークは、前記パッケージが外方に臨む外面に一体に形成された形状により構成されている、
ことを特徴とする請求項１または２記載のＲＦＩＤタグ。
【請求項１４】
前記形状は、前記パッケージが外方に臨む外面に形成された凹部で構成されている、
ことを特徴とする請求項１３記載のＲＦＩＤタグ。
【請求項１５】
前記形状は、前記パッケージが外方に臨む外面に形成された凸部で構成されている、
ことを特徴とする請求項１３記載のＲＦＩＤタグ。
【請求項１６】
前記パッケージは、前記基板の厚さ方向に沿った高さを有し、
前記パッケージは、前記高さ方向の両端に位置する第１面と第２面とを有し、
前記マークは、前記第１面から前記第２面にわたって貫通形成された孔により形成されている、
ことを特徴とする請求項１または２記載のＲＦＩＤタグ。
【請求項１７】
前記マークは、前記パッケージが外方に臨む外面に貼着されたシールにより形成されている、
ことを特徴とする請求項１または２記載のＲＦＩＤタグ。
【請求項１８】
前記マークは、前記パッケージが外方に臨む外面に形成された印刷面により形成されている、
ことを特徴とする請求項１または２記載のＲＦＩＤタグ。
【請求項１９】
ＲＦＩＤタグが設けられたケースを有する商品であって、
前記ＲＦＩＤタグは、
基板と、
前記基板に設けられ、導体が前記基板の厚さ方向と平行する方向に延在する中心軸を中心にかつ前記中心軸と直交する平面上を延在してコイル状に巻回されることで形成されたアンテナと、
前記基板に取着され前記アンテナを介してリーダ／ライタ装置との間で無線通信を行うＲＦＩＤチップと、
前記基板と前記アンテナと前記ＲＦＩＤチップを封止するパッケージとを備え、
前記パッケージが外方に臨む外面には、前記中心軸を特定するためのマークが形成され、
前記ＲＦＩＤタグは、前記マークを基準として前記ケースの内部における場所と前記ケースの内部における向きとが決定されて前記ケースの内部に設けられている、
ことを特徴とする商品。
【請求項２０】
ＲＦＩＤタグが設けられたケースを有する商品であって、
前記ＲＦＩＤタグは、
基板と、
前記基板に設けられ、導体が前記基板の厚さ方向と平行する方向に延在する中心軸を中心にかつ前記中心軸と直交する平面上を延在してコイル状に巻回されることで形成されたアンテナと、
前記基板に取着され前記アンテナを介してリーダ／ライタ装置との間で無線通信を行うＲＦＩＤチップと、
前記基板と前記アンテナと前記ＲＦＩＤチップを封止するパッケージとを備え、
前記パッケージは、前記基板の厚さ方向に沿った高さを有し、
前記パッケージは、前記高さ方向の両端に位置する第１面と第２面とを有し、
前記アンテナは、前記第１面と第２面の何れか一方の面に偏位しており、
前記アンテナが偏位した前記第１面と第２面の何れか一方の面はアンテナ面とされ、
前記パッケージが外方に臨む外面には、前記アンテナ面を特定するためのマークが形成され、
前記ＲＦＩＤタグは、前記マークを基準として前記ケースの内部における場所と前記ケースの内部における向きとが決定されて前記ケースの内部に設けられている、
ことを特徴とする商品。
【手続補正２】
【補正対象書類名】明細書
【補正対象項目名】０００２
【補正方法】変更
【補正の内容】
【０００２】
近年、物流・管理の効率化や製品のトレーサービリティーの点などからＩＣ化されたＲＦＩＤ（Radio Frequency IDentification）タグが利用されるようになってきている（特許文献１参照）。
ＲＦＩＤタグは、リーダ／ライタ装置を用いることによって、非接触にて読み取りが可能である上、従来のバーコードに比べ情報量が多いという利点がある。また超小型のもの、書き換え可能なものと種類も豊富なため、用途別の展開も可能である。
【特許文献１】特開２００５−６４８２２号公報
【手続補正３】
【補正対象書類名】明細書
【補正対象項目名】００１０
【補正方法】変更
【補正の内容】
【００１０】
マーク４２は、ＲＦＩＤタグ１０のどこに中心軸２２が位置しているのかを特定するためのものであり、かつ、どこにアンテナ面４４が位置しているかを特定するものであり、マーク４２はパッケージ１８が外方に臨む外面に形成されている。
マーク４２は、本実施の形態では、アンテナ片１４Ａが位置していない中心軸２２の近傍の箇所に中心軸２２に沿って延在する中心軸およびアンテナ面特定用形状である凹部４６により構成されている。
凹部４６は、アンテナ面４４に開口し第１面１８０２と第２面１８０４の何れか他方の面に向かう深さを有しており、したがって、本実施の形態では、凹部４６が設けられている箇所がアンテナ面４４となっている。
凹部４６の底面４６０２は基板の内部の箇所に位置しており、凹部４６の側面４６０４と底面４６０２はパッケージにより形成されている。
凹部４６の深さ方向と直交する面内の凹部４６の断面形状は、矩形を呈している。
凹部４６の深さ方向と直交する面内の凹部４６の断面形状は、凹部４６の底面４６０２に近づくにつれて次第に小さくなるように形成されている。
凹部４６の深さ方向と直交する面内の凹部４６の断面の中心は、中心軸２２と合致している。
なお、図３（Ｂ）においてＲＦＩＤタグ４０の各部の寸法例を示すと、ＲＦＩＤタグ４０の一辺の長さは２．５ｍｍ乃至５．４５ｍｍ、基板１２の厚さ方向に沿ったＲＦＩＤタグ４０の第１面１８０２とＲＦＩＤチップ１６の上面との間隔Ｌ１は１００μｍ、基板１２の厚さ方向に沿ったＲＦＩＤチップ１６の厚さＬ２は１５０μｍ、基板１２の厚さＬ３は４００μｍ、基板１２の厚さ方向に沿ったアンテナ面４４とアンテナ面４４に臨む基板１２（アンテナ１４）との間隔Ｌ４は１００μｍである。
【手続補正４】
【補正対象書類名】明細書
【補正対象項目名】００１３
【補正方法】変更
【補正の内容】
【００１３】
図６はＲＦＩＤタグ４０をケース内面に接着剤を用いて取り付ける場合の説明図である。
商品の外装を構成するケース５４は、外方に臨む外面５４０２と、内方に臨む内面５４０４とを有している。
内面５４０４には、位置決め凸部５６が内方に向けて突設されている。
位置決め凸部５６は、凹部４６と合致する形状で形成され、その外周面は、位置決め凸部５６の横断面が位置決め凸部５６の先端に近づくにつれて次第に小さくなるように形成されている。
また、ケース５４の外面５４０２には、位置決め凸部５６の中心軸を通るように識別用のマーク６０が印刷、または、シールが貼付されることで、あるいは、刻印されることで形成されている。
ＲＦＩＤタグ４０の位置出し、取り付けは次のようになされる。
予め、ＲＦＩＤタグ４０の凹部４６の内周面およびアンテナ面４４（第２面１８０４）と、位置決め凸部５６の外周面およびアンテナ面４４が臨むケース５４の内面５４０４との一方、あるいは、双方に接着剤を塗布しておく。
そして、ＲＦＩＤタグ４０のアンテナ面４４を内面５４０４に臨ませ、凹部４６に位置決め凸部５６に挿入し、アンテナ面４４をケース５４の内面５４０４に当接する。
位置決め凸部５６が凹部４６に嵌合されることで位置決めされ、したがって、位置決め凸部５６に対してアンテナ１４の中心軸２２およびアンテナ面４４が正確に位置決めされる。
この状態で、凹部４６と位置決め凸部５６が接着剤で接着固定され、ＲＦＩＤタグ４０は中心軸２２およびアンテナ面４４の位置出しが正確になされた状態でケース５４の内面５４０４に一体的に取り付けられることになる。
したがって、本実施の形態のＲＦＩＤタグ４０によれば、商品のケースの所望の箇所に所望の向きで簡単に埋め込むことが可能となり、アンテナ面４４がケース５４の外面５４０２に向けられており、リーダ／ライタ装置１００のアンテナ１０２をマーク６０に合わせることで、アンテナ１０２の中心軸をＲＦＩＤタグ４０のアンテナ１４の中心軸に合致させあるいはその近傍に位置させることができ、良好な通信を行うことができる。
また、図７に示すように、ケース５４の内面５４０４に取り付けられたＲＦＩＤタグ４０のパッケージ１８のアンテナ面４４を除く側面および第１面１８０２の全域を合成樹脂５８で封止してもよく、この場合には、ＲＦＩＤタグ４０の耐久性を確保する上でより有利となる。封止する合成樹脂としては例えば紫外線硬化型樹脂を用いることができる。
また、位置決め凸部５６の長手方向の寸法を凹部４６の深さ方向の寸法よりも大きな寸法で形成することで、ケース５４の内面５４０４とＲＦＩＤタグ４０のアンテナ面４４との間に隙間を形成し、その隙間に合成樹脂５８を回り込ませてもよく、この場合には、ケース５４とＲＦＩＤタグ４０との接着性を上げることができる。